(57)【要約】      （修正有）【課題】簡易な構成で、作業員等が勤務実績データを作成する際の負担を生じさせない工事労務管理システムを提供する。【解決手段】工事労務管理システムは、第１ユーザー装置１０と、第２ユーザー装置５０と、サーバー３０とを備える。第１ユーザー装置１０は、工事予定データ受付部１１１と、出来高データ受付部１１３と、工事予定データと出来高データとを工事データ記録部１３０とを有する。第２ユーザー装置５０は、勤務実績データ受付部５１１と、勤務実績データ送信部５１３とを有する。サーバー３０は、勤務実績データ記録部３３０と、勤務実績データ提供部３１１とを有する。第１ユーザー装置１０は、工事予定データ及び出来高データを取得して、勤務実績データから工事を担当する作業員ごとの勤務実績データを抽出し、工事の出来高データと作業員ごとの勤務実績データとを併せて出力する出力制御部１１５を有する。【選択図】図１
2020140261.tif 000002
【特許請求の範囲】
【請求項１】
第１ユーザー装置と、第２ユーザー装置と、サーバーとを備えるコンピューターネットワークシステムにおいて、
前記第１ユーザー装置は、
工事の作業員の勤務状態を管理する管理者による、該工事を識別する情報、該工事の予定される工事期間を示す情報、該工事を担当する該作業員を識別する情報及び、該作業員ごとの予定される工事時間の長さを示す情報を含む工事予定データの入力を受け付ける工事予定データ受付部と、
前記管理者による、前記工事ごとの工事出来高を示す情報を含む出来高データの入力を受け付ける出来高データ受付部と、
前記工事予定データと前記出来高データとを対応付けて記録する工事データ記録部とを有し、
前記第２ユーザー装置は、
各前記作業員による、該作業員を識別する情報と、該作業員の勤務開始日時又は勤務終了日時を示す情報と、前記工事を識別する情報とを含む勤務実績データの入力を受け付ける勤務実績データ受付部と、
前記勤務実績データ受付部が受け付けた前記勤務実績データを前記サーバーに送信する勤務実績データ送信部とを有し、
前記サーバーは、
前記第２ユーザー装置から受信した前記勤務実績データを記録する勤務実績データ記録部と、
前記勤務実績データ記録部に記録されている前記勤務実績データの全部又は一部を前記第１ユーザー装置に提供する勤務実績データ提供部とを有し、
前記第１ユーザー装置は、
前記工事データ記録部に記録されている前記工事予定データ及び該工事予定データに対応付けられた前記出来高データを取得して、該取得された工事予定データに含まれる前記工事を識別する情報が示す工事に関する、該工事を担当する前記作業員ごとの勤務実績データを前記勤務実績データ提供部により提供された勤務実績データから抽出し、該工事の出来高データと該抽出された該工事を担当する該作業員ごとの勤務実績データとを併せて出力する出力制御部を有することを特徴とする工事労務管理システム。
【請求項２】
請求項１に記載の工事労務管理システムにおいて、
前記第１ユーザー装置は、前記勤務実績データに基づいて、所定期間の前記作業員の勤務実績を集計して出力する勤務実績データ集計部を有することを特徴とする工事労務管理システム。
【請求項３】
請求項１又は２に記載の工事労務管理システムにおいて、
前記第１ユーザー装置は、前記勤務実績データに基づいて、所定期間の前記作業員それぞれの賃金の額を算出して、該算出された賃金の額を含む情報を出力する賃金算出部を有することを特徴とする工事労務管理システム。
【請求項４】
請求項１〜３の何れかに記載の工事労務管理システムにおいて、
前記サーバーは、前記第２ユーザー装置に現在の日時に関する情報を提供する日時情報提供部を有し、
前記第２ユーザー装置は、前記日時情報提供部から提供を受けた現在の日時に関する情報に基づいて現在の日時を表示する表示制御部を有し、
前記勤務実績データ受付部は、前記日時情報提供部から現在の日時に関する情報の提供を受けることができたことを条件として前記作業員による勤務実績データの入力を受け付けるように構成されているとともに、前記勤務実績データの入力を受け付ける際には該日時情報提供部から提供を受けた現在の日時に関する情報に基づく日時を該作業員の前記勤務開始日時又は前記勤務終了日時を示す情報として勤務実績データの入力を受け付けるように構成されていることを特徴とする工事労務管理システム。
【請求項５】
請求項１〜４の何れかに記載の工事労務管理システムにおいて、
前記第２ユーザー装置は撮像部を有し、
前記勤務実績データ受付部は、第２ユーザーによる勤務開始時間の入力を受け付ける際及び勤務終了時間の入力を受け付ける際の両方又はいずれか一方において、前記撮像部に前記第２ユーザー装置の周辺の映像を撮像させるように構成されており、
前記勤務実績データ送信部は、前記撮像部が撮像した映像を含む前記勤務実績データを前記サーバーに送信するように構成されていることを特徴とする工事労務管理システム。
【発明の詳細な説明】
【技術分野】
【０００１】
本発明は、工事労務管理システムに関する。
【背景技術】
【０００２】
従来、建設業用勤怠管理システムが知られている（例えば、特許文献１参照）。
【０００３】
特許文献１のシステムによれば、ＧＰＳを利用して取得した作業員用の端末の位置情報に基づいて、建設作業員の勤務実績データを作成して記憶することができる。
【先行技術文献】
【特許文献】
【０００４】
【特許文献１】特開２０１８−１８０７２４号公報
【発明の概要】
【発明が解決しようとする課題】
【０００５】
工事の作業は、建物の屋内や地下などの場所で行われることも多く、そのような場所においては、ＧＰＳを利用して位置情報を取得できるとは限らないところである。
【０００６】
しかしながら、特許文献１のシステムにおいては、ＧＰＳを利用して取得した作業員用の端末の位置情報に基づいて、建設作業員の勤務実績データを作成しているので、ＧＰＳを利用して位置情報を取得できない場所では作業員に勤務実績データを作成させることができない。
【０００７】
そのため、特許文献１のシステムを用いて作業員等に勤務実績データを作成させようとした場合、ＧＰＳ以外の手法で位置情報を得るようにするための追加の設備が必要となる。
【０００８】
あるいは、位置情報を取得できない場所においては、例えば紙のタイムカードや出勤簿に記載等された作業員の勤務実績の情報を作業員本人又は工事の作業員の勤務状態を管理する管理者などの他の者（以下「作業員等」という。）がシステムに手入力することも考えられるが、作業員等にとって手間を生じさせてしまうので現実的ではない。
【０００９】
以上の事情に鑑みて、本発明は、簡易な構成で、かつ作業員等が勤務実績データを作成する際の負担を生じさせない工事労務管理システムを提供することを目的とする。
【課題を解決するための手段】
【００１０】
本発明にかかる工事労務管理システムは、
第１ユーザー装置と、第２ユーザー装置と、サーバーとを備えるコンピューターネットワークシステムにおいて、
前記第１ユーザー装置は、
工事の作業員の勤務状態を管理する管理者による、該工事を識別する情報、該工事の予定される工事期間を示す情報、該工事を担当する該作業員を識別する情報及び、該作業員ごとの予定される工事時間の長さを示す情報を含む工事予定データの入力を受け付ける工事予定データ受付部と、
前記管理者による、前記工事ごとの工事出来高を示す情報を含む出来高データの入力を受け付ける出来高データ受付部と、
前記工事予定データと前記出来高データとを対応付けて記録する工事データ記録部とを有し、
前記第２ユーザー装置は、
各前記作業員による、該作業員を識別する情報と、該作業員の勤務開始日時又は勤務終了日時を示す情報と、前記工事を識別する情報とを含む勤務実績データの入力を受け付ける勤務実績データ受付部と、
前記勤務実績データ受付部が受け付けた前記勤務実績データを前記サーバーに送信する勤務実績データ送信部とを有し、
前記サーバーは、
前記第２ユーザー装置から受信した前記勤務実績データを記録する勤務実績データ記録部と、
前記勤務実績データ記録部に記録されている前記勤務実績データの全部又は一部を前記第１ユーザー装置に提供する勤務実績データ提供部とを有し、
前記第１ユーザー装置は、
前記工事データ記録部に記録されている前記工事予定データ及び該工事予定データに対応付けられた前記出来高データを取得して、該取得された工事予定データに含まれる前記工事を識別する情報が示す工事に関する、該工事を担当する前記作業員ごとの勤務実績データを前記勤務実績データ提供部により提供された勤務実績データから抽出し、該工事の出来高データと該抽出された該工事を担当する該作業員ごとの勤務実績データとを併せて出力する出力制御部を有することを特徴とする。
【００１１】
本発明にかかる工事労務管理システムにおいては、第１ユーザー装置の工事予定データ受付部により、工事の作業員の勤務状態を管理する管理者による、該工事を識別する情報、該工事の予定される工事期間を示す情報、該工事を担当する該作業員を識別する情報及び、該作業員ごとの予定される工事時間の長さを示す情報を含む工事予定データの入力が受け付けられる。
【００１２】
また、第１ユーザー装置の出来高データ受付部により、管理者による工事ごとの工事出来高を示す情報を含む出来高データの入力が受け付けられ、工事データ記録部により、工事予定データ受付部が受け付けた工事予定データと出来高データとが対応付けて記録される。
【００１３】
そして、第２ユーザー装置の勤務実績データ受付部により、各作業員による作業員を識別する情報と、該作業員の勤務開始日時又は勤務終了日時を示す情報と、工事を識別する情報とを含む勤務実績データの入力が受け付けられ、勤務実績データ送信部により、勤務実績データ受付部が受け付けた勤務実績データが、サーバーに送信される。
【００１４】
これにより、勤務実績データの作成にあたって位置情報を必要としない。そのため、ＧＰＳを利用して位置情報を取得できない場所において勤務実績データを作成する際に、ＧＰＳ以外の手法で位置情報を得るようにするための追加の設備を要しないので、簡易な構成で作業員に勤務実績データを作成させることができる。
【００１５】
さらに、勤務実績データ記録部により、第２ユーザー装置から受信した勤務実績データが記録され、勤務実績データ提供部により、勤務実績データの全部又は一部が第１ユーザー装置に提供される。
【００１６】
これにより、作業員本人が作成した勤務実績データの提供を受けることができるので、紙のタイムカードや出勤簿に記載等された作業員の勤務実績の情報を作業員等がシステムに手入力する手間を生じさせない。
【００１７】
そして、出力制御部により、工事データ記録部に記録されている工事予定データ及び該工事予定データに対応付けられた出来高データが取得されて、該取得された工事予定データに含まれる工事を識別する情報が示す工事に関する、該工事を担当する前記作業員ごとの勤務実績データが勤務実績データ提供部により提供された勤務実績データから抽出され、該工事の出来高データと該抽出された該工事を担当する該作業員ごとの勤務実績データとが併せて出力される。
【００１８】
これにより、工事の作業員の勤務状態を管理する管理者は、工事の出来高データと該抽出された該工事を担当する該作業員ごとの勤務実績データとを併せて見ることができるので、例えばある工事のある作業員の勤務実績中の勤務時間が多いにも関わらず出来高が少なければ、勤務時間が過大に入力されている可能性があるなどの異常を簡便に知ることができる。そのため、勤務実績データの作成にかかる管理者の負担が軽減される。
【００１９】
このように、本発明によれば、作業員等が勤務実績データを作成する際の負担を生じさせない工事労務管理システムを提供することができる。
【００２０】
本発明にかかる工事労務管理システムにおいて、
前記第１ユーザー装置は、前記勤務実績データに基づいて、所定期間の前記作業員の勤務実績を集計して出力する勤務実績データ集計部を有することが好ましい。
【００２１】
ところで、都道府県などに建設工事の入札参加資格審査の申請を行う場合には、作業員の出勤簿の提出を求められるところである。そして工事の作業員の勤務状態を管理する管理者は、管理業務の一環として出勤簿を作成しているので、出勤簿の作成負担が軽減できればより都合がよい。
【００２２】
本発明にかかる工事労務管理システムにおいては、勤務実績データ集計部により、勤務実績データに基づいて、所定期間の作業員の勤務実績が集計されて出力される。これにより、管理者は当該出力結果を出勤簿として活用することができるので、管理業務の一環として出勤簿を作成する管理者の負担が軽減される。
【００２３】
このように、本発明によれば、作業員等が勤務実績データ及び出勤簿を作成する際の負担を生じさせない工事労務管理システムを提供することができる。
【００２４】
本発明にかかる工事労務管理システムにおいて、
前記第１ユーザー装置は、前記勤務実績データに基づいて、所定期間の前記作業員それぞれの賃金の額を算出して、該算出された賃金の額を含む情報を出力する賃金算出部を有することが好ましい。
【００２５】
都道府県などに建設工事の入札参加資格審査の申請を行う場合には、工事の作業員の勤務状態を管理する管理者は、作業員の賃金台帳の提出を求められる場合がある。そして工事の作業員の勤務状態を管理する管理者は、管理業務の一環として賃金台帳を作成するので、賃金台帳の作成負担が軽減できればさらに都合がよい。
【００２６】
本発明にかかる工事労務管理システムにおいては、賃金算出部により、勤務実績データに基づいて、所定期間の作業員それぞれの賃金の額が算出され、該算出された賃金の額を含む情報が出力される。これにより、管理者は当該出力結果を賃金台帳として活用することができるので、管理業務の一環として賃金台帳を作成する管理者の負担が軽減される。
【００２７】
このように、本発明によれば、作業員等が勤務実績データ及び作業員の賃金台帳を作成する際の負担を生じさせない工事労務管理システムを提供することができる。
【００２８】
本発明にかかる工事労務管理システムにおいて、
前記サーバーは、前記第２ユーザー装置に現在の日時に関する情報を提供する日時情報提供部を有し、
前記第２ユーザー装置は、前記日時情報提供部から提供を受けた現在の日時に関する情報に基づいて現在の日時を表示する表示制御部を有し、
前記勤務実績データ受付部は、前記日時情報提供部から現在の日時に関する情報の提供を受けることができたことを条件として前記作業員による勤務実績データの入力を受け付けるように構成されているとともに、前記勤務実績データの入力を受け付ける際には該日時情報提供部から提供を受けた現在の日時に関する情報に基づく日時を該作業員の前記勤務開始日時又は前記勤務終了日時を示す情報として勤務実績データの入力を受け付けるように構成されていることが好ましい。
【００２９】
作業員の勤務開始日時及び勤務終了日時は、作業員の勤務実績において重要な情報であるので、勤務実績データを入力する際の日時の情報は正確であることが求められる。
【００３０】
また、作業員本人にも自身が勤務実績データを作成した正確な日時を意識させることが重要である。
【００３１】
本発明にかかる工事労務管理システムにおいては、サーバーの日時情報提供部により、第２ユーザー装置に現在の日時に関する情報が提供される。そして、第２ユーザー装置の表示制御部により、日時情報提供部から提供を受けた現在の日時に関する情報に基づいて現在の日時が表示される。
【００３２】
これにより、作業員本人にも自身が勤務実績データを作成した正確な日時を意識させることができる。
【００３３】
そして、勤務実績データ受付部により、日時情報提供部から現在の日時に関する情報の提供を受けることができたことを条件として作業員による勤務実績データの入力が受け付けられる。なお、勤務実績データ受付部により勤務実績データの入力が受け付けられる際には、日時情報提供部から提供を受けた現在の日時に関する情報に基づく日時を作業員の勤務開始日時又は勤務終了日時を示す情報として、勤務実績データの入力が受け付けられる。
【００３４】
これにより、勤務実績データ中の作業員Ｕ２の勤務開始日時又は勤務終了日時を示す情報が、サーバー３０から提供された現在の日時に関する情報に統一されるので、勤務実績データを入力する際の日時の情報の正確性が確保できる。
【００３５】
このように、本発明によれば、作業員本人にも自身が勤務実績データを作成した正確な日時を意識させるとともに、勤務実績データを入力する際の日時の情報の正確性が確保可能な、作業員等が勤務実績データを作成する際の負担を生じさせない工事労務管理システムを提供することができる。
【００３６】
本発明にかかる工事労務管理において、
前記第２ユーザー装置は撮像部を有し、
前記勤務実績データ受付部は、第２ユーザーによる勤務開始時間の入力を受け付ける際及び勤務終了時間の入力を受け付ける際の両方又はいずれか一方において、前記撮像部に前記第２ユーザー装置の周辺の映像を撮像させるように構成されており、
前記勤務実績データ送信部は、前記撮像部が撮像した映像を含む前記勤務実績データを前記サーバーに送信するように構成されていることが好ましい。
【００３７】
本発明にかかる工事労務管理システムにおいては、勤務実績データ受付部により、第２ユーザーによる勤務開始時間の入力を受け付ける際及び勤務終了時間の入力を受け付ける際の両方又はいずれか一方において、撮像部を用いて第２ユーザー装置の周辺の映像が撮像され、勤務実績データ送信部により、撮像部が撮像した映像を含む勤務実績データがサーバーに送信される。
【００３８】
これにより、工事の作業員の勤務状態を管理する管理者は勤務実績データに含まれる第２ユーザー装置の周辺の映像を見て工事の進捗状況を知ることができるので、工事現場に行かずとも工事の出来高を確認できるため、出来高データを入力する際の負担が軽減される。
【００３９】
また、第２ユーザー装置の周辺の映像は、自動的に作業員による勤務開始時間の入力を受け付ける際及び勤務終了時間の入力を受け付ける際の両方又はいずれか一方において撮像部が撮像して、勤務実績データ送信部が当該映像を含む勤務実績データをサーバーに送信するので、作業員には第２ユーザー装置の周辺の映像の撮像に伴う追加の負担を生じさせない。
【００４０】
このように、本発明によれば、より作業員等が勤務実績データを作成する際の負担を生じさせない工事労務管理システムを提供することができる。
【図面の簡単な説明】
【００４１】
【図１】工事労務管理システムの全体構成を示すブロック図。
【図２】工事労務管理システム全体の処理の概要を示すタイムテーブル。
【図３Ａ】工事労務管理システムの勤務実績データ受付処理の内容を示すフローチャート。
【図３Ｂ】工事労務管理システムの勤務実績データ取得・表示処理の内容を示すフローチャート。
【図４Ａ】工事予定データ及び出来高データの内容を説明する表。
【図４Ｂ】勤務実績データの内容を説明する表。
【図５】第２ユーザー装置の表示内容を示す図。
【図６Ａ】勤務実績データ取得・表示処理の出力内容を示す図。
【図６Ｂ】勤務実績データ集計処理の出力内容を示す図。
【図６Ｃ】賃金算出処理処理の出力内容を示す図。
【発明を実施するための形態】
【００４２】
まず、図１を参照して、本実施形態の工事労務管理システムの構成を説明する。本実施形態の工事労務管理システムは、第１ユーザー装置１０と、サーバー３０と、第２ユーザー装置５０とを備えている。第１ユーザー装置１０とサーバー３０との間及び、サーバー３０と第２ユーザー装置５０との間が、通信ネットワーク７０により相互に通信可能に接続され、コンピューターネットワークシステムが構成されている。
【００４３】
第１ユーザー装置１０は、第１ユーザー装置制御部１１０と、工事データ記録部１３０と、第１ユーザー装置ディスプレイ１５０と、プリンター１７０と、キーボード１９０を備える、例えばコンピューターである。
【００４４】
第１ユーザー装置制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。第１ユーザー装置制御部１１０は、所定のプログラムを読み込んで実行することにより工事予定データ受付部１１１、出来高データ受付部１１３、出力制御部１１５として機能し、あるいはさらに勤務実績データ集計部１１７及び賃金算出部１１９として機能する。
【００４５】
工事予定データ受付部１１１は、工事の作業員の勤務状態を管理する管理者による、該工事を識別する情報、該工事の予定される工事期間を示す情報、該工事を担当する該作業員を識別する情報及び、該作業員ごとの予定される工事時間の長さを示す情報を含む工事予定データの入力を受け付ける。
【００４６】
出来高データ受付部１１３は、管理者による、工事ごとの工事出来高を示す情報を含む出来高データの入力を受け付ける。
【００４７】
出力制御部１１５は、工事データ記録部１３０に記録されている工事予定データ及び該工事予定データに対応付けられた出来高データを取得して、該取得された工事予定データに含まれる工事を識別する情報が示す工事に関する、該工事を担当する前記作業員ごとの勤務実績データを勤務実績データ提供部により提供された勤務実績データから抽出し、該工事の出来高データと該抽出された該工事を担当する該作業員ごとの勤務実績データとを例えば第１ユーザー装置ディスプレイ１５０に表示することにより、あるいはプリンター１７０を用いて印刷することにより、併せて出力する。
【００４８】
勤務実績データ集計部１１７は、勤務実績データに基づいて、所定期間の作業員の勤務実績を集計して、第１ユーザー装置ディスプレイ１５０、プリンター１７０などに出力する。
【００４９】
賃金算出部１１９は、勤務実績データ集計部の集計結果に基づいて、所定期間の作業員それぞれの賃金の額を算出して、該算出された賃金の額を含む情報を第１ユーザー装置ディスプレイ１５０、プリンター１７０などに出力する。
【００５０】
工事データ記録部１３０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。工事データ記録部１３０は、出来高データ受付部が受け付けた工事予定データと出来高データとを対応付けて記録するほか、第１ユーザー装置制御部１１０の処理結果を記録する。
【００５１】
第１ユーザー装置ディスプレイ１５０は、第１ユーザーに提示する情報を表示する装置であり、例えば液晶ディスプレイ、有機ＥＬディスプレイである。プリンター１７０は、第１ユーザーに提示する情報を印刷し、キーボードは、管理者Ｕ１などの第１ユーザー装置の操作者からの情報の入力を受け付ける。
【００５２】
サーバー３０は、サーバー制御部３１０と勤務実績データ記録部３３０とを有する、例えばコンピューターである。
【００５３】
サーバー制御部３１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。サーバー制御部３１０は、所定のプログラムを読み込んで実行することにより勤務実績データ提供部３１１として機能し、あるいはさらに日時情報提供部３１３として機能する。
【００５４】
勤務実績データ提供部３１１は、勤務実績データ記録部３３０に記録されている勤務実績データの全部又は一部を第１ユーザー装置１０に提供する。日時情報提供部３１３は、第２ユーザー装置５０に現在の日時に関する情報を提供する。
【００５５】
勤務実績データ記録部３３０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。勤務実績データ記録部３３０は、第２ユーザー装置５０から受信した勤務実績データを記録するほか、サーバー制御部３１０の処理結果を記録する。
【００５６】
第２ユーザー装置５０は、第２ユーザー装置制御部５１０と、第２ユーザー装置記録部５３０と、第２ユーザー装置ディスプレイ５５０と、タッチパネル５７０と、撮像部５９０とを備える、例えばスマートフォンである。
【００５７】
第２ユーザー装置制御部５１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。第２ユーザー装置制御部５１０は、所定のプログラムを読み込んで実行することにより勤務実績データ受付部５１１、勤務実績データ送信部５１３として機能し、あるいはさらに表示制御部５１５として機能する。
【００５８】
勤務実績データ受付部５１１は、作業員による、該作業員を識別する情報と、該作業員の勤務開始日時又は勤務終了日時を示す情報と、工事を識別する情報とを含む勤務実績データの入力を受け付ける。勤務実績データ送信部５１３は、勤務実績データ受付部５１１が受け付けた勤務実績データをサーバー３０に送信する。
【００５９】
表示制御部５１５は、サーバーが日時情報提供部３１３を備える場合において、日時情報提供部３１３から提供を受けた現在の日時に関する情報に基づいて現在の日時を表示する。
【００６０】
第２ユーザー装置記録部５３０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶装置により構成されている。第２ユーザー装置記録部５３０は、第２ユーザー装置制御部５１０の処理結果を記録する。
【００６１】
第２ユーザー装置ディスプレイ５５０は、第２ユーザーに提示する情報を表示する装置であり、例えば液晶ディスプレイ、有機ＥＬディスプレイである。タッチパネル５７０は、作業員Ｕ２などの第２ユーザー装置の操作者からの情報の入力を受け付ける。
【００６２】
撮像部５９０は、勤務実績データ受付部５１１からの命令に従って第２ユーザー装置５０の周辺の映像を撮像するカメラである。
【００６３】
通信ネットワーク７０は、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット通信網である。
【００６４】
＜工事労務管理システムの処理概要＞
次に、図２を用いて工事労務管理システムの処理概要の一例について説明する。
【００６５】
まず、工事労務管理の準備期間Ｐ１においては、管理者Ｕ１の操作に応じて、工事の作業員の勤務状態を管理する管理者Ｕ１による、工事予定データの入力を受け付ける工事予定データ受付処理Ｓ１００が第１ユーザー装置１０において実行される。
【００６６】
そして工事期間中Ｐ２においては、管理者Ｕ１の操作に応じて出来高データの入力を受け付ける出来高データ受付処理Ｓ１２０が実行され、その後工事予定データと出来高データとを対応付けて記録する工事データ記録処理１４０が第１ユーザー装置１０において実行される。なお、出来高データ受付処理Ｓ１２０と工事データ記録処理１４０とは一連の処理であり、工事期間中Ｐ２において、管理者Ｕ１の操作に応じて随時に繰り返し実行される。
【００６７】
さらに工事期間中Ｐ２においては、作業者Ｕ２の操作に応じて勤務実績データの入力を受け付ける勤務実績データ受付処理Ｓ２４０が実行され、その後に勤務実績データをサーバー３０に送信する勤務実績データ送信処理Ｓ２６０が第２ユーザー装置５０において実行される。またその後にサーバー３０においては、第２ユーザー装置５０から受信した勤務実績データを記録する勤務実績データ記録処理Ｓ２８０が実行される。
【００６８】
なお、サーバー３０が日時情報提供部３１３を有し、第２ユーザー装置５０が表示制御部５１５を有する場合においては、勤務実績データ受付処理Ｓ２４０の実行に先立って、日時情報提供部３１３から提供を受けた現在の日時に関する情報に基づいて現在の日時を表示する日時情報取得・表示処理Ｓ２００と、第２ユーザー装置５０に現在の日時に関する情報を提供する日時情報提供処理Ｓ２２０とを、勤務実績データ受付処理Ｓ２４０の実行に先立って実行することとしてもよい。
【００６９】
あるいはさらに、勤務実績データ受付処理Ｓ２４０において、撮像部５９０が第２ユーザー装置５０の周辺の映像を撮像する撮像処理Ｓ２４０１を実行することとしてもよい。
【００７０】
また、勤務実績データ受付処理Ｓ２４０（あるいは日時情報取得・表示処理Ｓ２００）〜勤務実績データ記録処理Ｓ２８０は一連の処理であり、工事期間中Ｐ２において、作業員Ｕ２の操作に応じて随時に繰り返し実行される。
【００７１】
そして、第１ユーザー装置１０においては、工事の出来高データと該工事を担当する作業員ごとの勤務実績データとを併せて出力する勤務実績データ取得・表示処理Ｓ３００が実行され、サーバー３０において、勤務実績データ記録部３３０に記録されている勤務実績データの全部又は一部を第１ユーザー装置１０に提供する勤務実績データ提供処理Ｓ３２０が実行される。
【００７２】
なお、勤務実績データ取得・表示処理Ｓ３００と勤務実績データ提供処理Ｓ３２０とは一連の処理であり、例えば工事期間中Ｐ２において、管理者Ｕ１の操作に応じて随時に繰り返し実行される。
【００７３】
そして、工事期間中・期間後を問わず随時に、第１ユーザー装置１０において、所定期間の作業員Ｕ２の勤務実績を集計して出力する勤務実績データ集計処理Ｓ４００と、所定期間の作業員Ｕ２それぞれの賃金の額を算出して、該算出された賃金の額を含む情報を出力する賃金算出処理Ｓ５００が実行されるように構成されていてもよい。
【００７４】
次に、図３Ａ〜図６Ｃを参照しながら、各処理の内容について説明する。
【００７５】
＜工事予定データ受付処理＞
管理者Ｕ１の操作に応じて第１ユーザー装置が起動され、工事予定データ受付処理を開始させる操作が行われることにより、工事予定データ受付処理が開始される。
【００７６】
工事予定データ受付処理を開始すると、工事予定データ受付部１１１は、管理者Ｕ１による工事予定データの入力を受け付ける画面を表示する。
【００７７】
工事予定データ受付部１１１が入力を受け付ける工事予定データには、例えば、工事を識別する情報としての工事ＩＤ及び工事名称、該工事の予定される工事期間を示す情報としての工事開始予定年月日及び工事終了予定年月日、該工事を担当する該作業員を識別する情報として１以上の担当作業員氏名、及び該作業員ごとの予定される工事時間の長さを示す情報としての予定勤務時間が含まれる。
【００７８】
そして工事予定データ受付部１１１は、入力を受け付けた工事予定データを工事データ記録部１３０に記録して、処理を終了する。
【００７９】
＜出来高データ受付処理＞
管理者Ｕ１に応じて第１ユーザー装置が起動され、出来高データ受付処理を開始させる操作が行われることにより、出来高データ受付処理が開始される。
【００８０】
出来高データ受付処理を開始すると、出来高データ受付部１１３は管理者Ｕ１による工事ごとの出来高データの入力を受け付ける画面を表示する。
【００８１】
出来高データ受付部１１３が入力を受け付ける出来高データには、例えば、工事ＩＤと当該工事の出来高を示す情報（例えば「５０％」など。）とが含まれる。出来高データ受付部１１３は、このような工事の出来高を示す情報の入力を、工事ごとに受け付けて処理を終了する。
【００８２】
＜工事データ記録処理＞
出来高データ受付処理が終了すると、工事データ記録処理が開始される。工事データ記録処理を開始すると出来高データ受付部１１３は、出来高データ受付処理にて入力を受け付けた出来高データを処理対象の出来高データとして、当該処理対象の出来高データに含まれる工事ＩＤに基づいて、工事データ記録部１３０から対応する工事ＩＤを含む工事データを取得する。
【００８３】
そして、出来高データ受付部１１３は、処理対象の出来高データに含まれる工事の工事出来高を示す情報を、例えば上記にて取得された工事データに追加することにより、工事予定データと出来高データとを対応付けて工事データ記録部１３０に記録させて処理を終了する。
【００８４】
図４Ａは、工事予定データと出来高データとが対応付けられた状態の工事データの内容の一例を表している。本実施形態においては、工事予定データと出来高データとを同一のテーブルに格納することにより、工事予定データと出来高データとを対応付けている。
【００８５】
＜日時情報取得・表示処理＞
作業者Ｕ２の操作に応じて第２ユーザー装置５０において工事労務管理システムのアプリケーションが起動されることにより、日時情報取得・表示処理が開始される。日時情報取得・表示処理を開始すると、表示制御部５１５は、サーバー３０に対して、現在の日時情報の提供を求める情報を送信する。
【００８６】
なお第２ユーザー装置５０は、あらかじめ第２ユーザー装置記録部５３０に、サーバー３０に接続するための情報（ＵＲＬ、ＩＰアドレス、ポート番号など。以下同じ。）と、当該第２ユーザー装置を操作する作業員Ｕ２を識別する情報としての作業員氏名とを記憶している。表示制御部５１５は、第２ユーザー装置記録部５３０からこれらの情報を取得して、当該取得された情報に基づいてサーバー３０に対して、現在の日時に関する情報の提供を求める情報を送信する。
【００８７】
そして、サーバー３０から現在の日時に関する情報を受信することができた場合には、表示制御部５１５は、図５に示すように、第２ユーザー装置ディスプレイ５５０に、当該受信した現在の日時に基づいて現在の日時に関する情報を含む情報ＤａＴを表示して処理を終了する。
【００８８】
これにより、作業員Ｕ２本人にも自身が勤務実績データを作成した正確な日時を意識させることができる。
【００８９】
なお、サーバー３０から現在の日時に関する情報を受信することができなかった場合には、表示制御部５１５は、例えば第２ユーザー装置ディスプレイ５５０にその旨を表示して処理を終了する。
【００９０】
＜日時情報提供処理＞
サーバー３０が、第２ユーザー装置５０から日時情報の提供を求める情報を受信することにより、日時情報提供処理は開始される。日時情報提供処理を開始すると、サーバー３０の日時情報提供部３１３は、例えばサーバー３０が第２ユーザー装置５０から日時情報の提供を求める情報を受信した時点の日時に関する情報を第２ユーザー装置５０に送信することにより、現在の日時に関する情報を、日時情報の提供を求める情報を送信した第２ユーザー装置５０に提供して、処理を終了する。
【００９１】
＜勤務実績データ受付処理＞
日時情報取得・表示処理において、日時情報提供部３１３から現在の日時に関する情報の提供を受けることができたことを条件として勤務実績データ受付処理は開始される。
【００９２】
勤務実績データ受付処理を開始すると、勤務実績データ受付部５１１は、まずサーバー３０に対して、工事を識別する情報の提供を求める情報を送信する。勤務実績データ受付部５１１から工事を識別する情報の提供を求める情報を受信したサーバー３０は、工事データ記録部１３０に記録されている工事予定データに含まれる工事を識別する情報の全部又は一部を、工事を識別する情報の提供を求める情報を送信した第２ユーザー装置５０に送信する。
【００９３】
そして勤務実績データ受付部５１１は、例えば図５Ａに示すように第２ユーザー装置ディスプレイ５５０に、作業員Ｕ２の勤務開始日時の入力を受け付けるためのボタンＢ１と、作業員の勤務終了日時の入力を受け付けるためのボタンＢ２と、工事を識別する情報の入力を受け付けるためのドロップダウンリストＤｒｏを表示する（図３Ａ／Ｓ２４１）。
【００９４】
その後、勤務実績データ受付部５１１は、ドロップダウンリストＤｒｏから工事を識別する情報を選択する操作が行われると、当該選択された工事を識別する情報を、今回当該作業員Ｕ２が勤務を開始又は終了した工事を識別する情報として受け付ける（図３Ａ／Ｓ２４３）。
【００９５】
そして勤務実績データ受付部５１１は、タッチパネル５７０内の作業員の勤務開始日時の入力を受け付けるためのボタンＢ１又は作業員の勤務終了日時の入力を受け付けるためのボタンＢ２がタップされたことを認識する。
【００９６】
勤務実績データ受付部５１１は、作業員の勤務開始日時の入力を受け付けるためのボタンＢ１がタップされたことを認識した場合（図３Ａ／Ｓ２４５）には、日時情報提供部３１３から提供を受けた現在の日時に関する情報に基づく日時を作業員Ｕ２の勤務開始日時として受け付ける（図３Ａ／Ｓ２４７）。
【００９７】
また勤務実績データ受付部５１１は、作業員の勤務終了日時の入力を受け付けるためのボタンＢ２がタップされたことを認識した場合（図３Ａ／Ｓ２４９）には、日時情報提供部３１３から提供を受けた現在の日時に関する情報に基づく日時を作業員Ｕ２の勤務終了日時として受け付ける（図３Ａ／Ｓ２５１）。
【００９８】
すなわち例えば日時情報提供部３１３から提供を受けた現在の日時に関する情報が「２０１９／１／３１  １２：５９：４３」であって、当該情報の提供を受けてから、作業員の勤務開始日時の入力を受け付けるためのボタンＢ１がタップされたことを認識するまでにちょうど１分が経過している場合は、「２０１９／１／３１  １３：００：４３」を作業員Ｕ２の勤務開始日時として受け付ける。作業員の勤務終了日時の入力を受け付けるためのボタンＢ２がタップされた場合には同様の処理を行って作業員Ｕ２の勤務終了日時として受け付ける。
【００９９】
これにより、勤務実績データ中の作業員Ｕ２の勤務開始日時又は勤務終了日時を示す情報が、サーバー３０から提供された現在の日時に関する情報に統一されるので、勤務実績データを入力する際の日時の情報の正確性が確保できる。
【０１００】
そして勤務実績データ受付部５１１は、必要に応じて撮像部５９０に撮像処理（図３Ａ／Ｓ２４０１）を実行させて、処理を終了する。なお勤務実績データ受付部５１１は、工事の出来高が分かるような映像の撮像を作業員Ｕ２に促すために、第２ユーザー装置ディスプレイ５５０に、「工事の出来高が分かる場所にカメラを向けてください。」などのメッセージＭｅｓを表示する。
【０１０１】
また、勤務実績データ受付部５１１は、作業員Ｕ２の勤務開始日時の入力を受け付ける際と、作業員Ｕ２の勤務開始日時の入力を受け付ける際との両方で撮像部５９０に撮像処理を行わせることとしてもよいし、何れか一方で行わせることとしてもよい。
【０１０２】
＜撮像処理＞
撮像処理を開始すると勤務実績データ受付部５１１は、例えば第２ユーザー装置ディスプレイ５５０に第２ユーザー装置５０の周辺の映像Ｉｍｇを表示する。そして勤務実績データ受付部５１１は、撮像部５９０を用いて第２ユーザー装置５０の周辺の映像を撮像して処理を終了する。
【０１０３】
これにより、第２ユーザー装置５０の周辺の映像は、自動的に作業員Ｕ２による勤務開始時間の入力を受け付ける際及び勤務終了時間の入力を受け付ける際において撮像部５９０が撮像して、後述する勤務実績データ送信処理において勤務実績データ送信部５１３が当該映像を含む勤務実績データをサーバー３０に送信するので、作業員Ｕ２には第２ユーザー装置５０の周辺の映像の撮像に伴う追加の負担を生じさせない。
【０１０４】
＜勤務実績データ送信処理＞
勤務実績データ受付処理が終了することにより勤務実績データ送信処理は開始される。勤務実績データ送信処理を開始すると、勤務実績データ送信部５１３は、勤務実績データ受付部５１１が受け付けた勤務実績データをサーバー３０に送信して処理を終了する。
【０１０５】
勤務実績データには、作業員Ｕ２を識別する情報としての作業員ＩＤ、該作業員Ｕ２の勤務開始日時又は勤務終了日時を示す情報及び、工事を識別する情報が含まれている。
【０１０６】
このように、勤務実績データの作成にあたって位置情報を必要としないので、ＧＰＳを利用して位置情報を取得できない場所において勤務実績データを作成する際に、ＧＰＳ以外の手法で位置情報を得るようにするための追加の設備を要しないので、簡易な構成で作業員に勤務実績データを作成させることができる。
【０１０７】
また、勤務実績データ送信部５１３は、撮像部が撮像した映像がある場合は、当該映像を勤務実績データに含めてサーバー３０に送信する。
【０１０８】
＜勤務実績データ記録処理＞
サーバー３０が第２ユーザー装置５０から勤務実績データを受信することにより勤務実績データ記録処理は開始される。勤務実績データ記録処理を開始すると、勤務実績データ提供部３１１は、当該受信した勤務実績データを勤務実績データ記録部３３０に記録して処理を終了する。
【０１０９】
なお、複数の異なる組織の勤務実績データを記録する場合は、勤務実績データ提供部３１１は、例えば当該組織ごとにテーブルを分けて勤務実績データを勤務実績データ記録部３３０に記録する。
【０１１０】
また勤務実績データ提供部３１１は、例えば勤務実績データ記録部３３０に記録されている、作業員ＩＤと当該作業員Ｕ２が所属する組織との対応表及び、組織と勤務実績データのテーブルとの対応表を参照して、勤務実績データに含まれる作業員ＩＤに基づいて、受信した勤務実績データをどのテーブルに記録するべきかを認識したうえで、勤務実績データを勤務実績データ記録部３３０に記録する。
【０１１１】
＜勤務実績データ取得・表示処理＞
管理者Ｕ１の操作に応じて第１ユーザー装置が起動され、勤務実績データ取得・表示処理を開始させる操作が行われることにより、勤務実績データ取得・表示処理が開始される。勤務実績データ取得・表示処理を開始すると出力制御部１１５は、サーバー３０に対し、勤務実績データの提供を求める情報を送信する（図３Ｂ／Ｓ３０１）。
【０１１２】
なお、第１ユーザー装置１０は、あらかじめ工事データ記録部１３０に、サーバー３０に接続するための情報と当該第１ユーザー装置を操作する管理者Ｕ１を識別する情報としての管理者ＩＤとを記憶している。出力制御部１１５は、工事データ記録部１３０からこれらの情報を取得して、当該取得された情報に基づいてサーバー３０に対して、勤務実績データの提供を求める情報を送信する。
【０１１３】
そして、サーバー３０から勤務実績データ提供処理（図３Ｂ／Ｓ３２０）の処理結果である勤務実績データを受信して工事データ記録部１３０に記録した後に、出力制御部１１５は、処理対象の工事を識別する情報の入力を受け付ける画面を第１ユーザー装置ディスプレイに表示する（図３Ｂ／Ｓ３３１）。
【０１１４】
これにより、作業員Ｕ２本人が作成した勤務実績データの提供を受けることができるので、紙のタイムカードや出勤簿に記載等された作業員Ｕ２の勤務実績の情報を作業員Ｕ２等がシステムに手入力する手間を生じさせない。
【０１１５】
管理者Ｕ１による、処理対象の工事を識別する情報として例えば工事ＩＤの入力を受け付けた出力制御部１１５は、当該入力を受け付けた工事ＩＤを含む工事予定データ及び該工事予定データに対応付けられた出来高データを工事データ記録部１３０から抽出して取得する（図３Ｂ／Ｓ３３３）。
【０１１６】
そして出力制御部１１５は、取得された工事予定データに含まれる工事を識別する情報が示す工事に関する、当該工事を担当する作業員Ｕ２ごとの勤務実績データを勤務実績データ提供部により提供された勤務実績データから抽出する（図３Ｂ／Ｓ３３５）。
【０１１７】
より具体的には、例えば工事予定データ及び出来高データの内容が図４Ａに示す通りであり、サーバー３０から受信した勤務実績データの内容が図４Ｂに示す通りであり、Ｓ３３３にて入力を受け付けた工事を識別する情報としての工事ＩＤが「Ｃ０００１」である場合には、出力制御部１１５は、処理対象の工事の工事ＩＤが「Ｃ０００１」であると認識し、工事データ記録部１３０に記録されている工事予定データから、工事ＩＤが「Ｃ０００１」であるレコードの、工事ＩＤ、工事名称、工事開始予定年月日、出来高、工事終了予定年月日、担当作業員氏名１〜ｎ、及び予定勤務時間１〜ｎを取得する。
【０１１８】
そして、本実施形態の例では、取得された工事予定データの工事ＩＤが「Ｃ０００１」であるので、出力制御部１１５は、サーバー３０から受信した勤務実績データから、工事を識別する情報としての工事ＩＤ「Ｃ０００１」に関する、作業員ごとの勤務実績データを抽出する。
【０１１９】
続いて出力制御部１１５は、工事の出来高データと抽出された工事を担当する作業員ごとの勤務実績データとを併せて出力して（図３Ｂ／Ｓ３３７）、処理を終了する。
【０１２０】
図６Ａは、勤務実績データ取得・表示処理の出力内容の一例であり、処理対象の工事名称ＣＮａｍ、工事開始予定年月日ＣＢＤａｔ、工事終了予定年月日ＣＥＤａｔ、出来高ＣＹｉ、及び作業員Ｕ２ごとの勤務実績ＷＲｅｃ１が勤務日ごとに出力されている。
【０１２１】
図６Ａにおいては、処理対象の工事の出来高とともに、勤務実績として各作業員Ｕ２の合計勤務時間と予定勤務時間とが併せて出力されており、工事の作業員の勤務状態を管理する管理者は、工事の出来高データと該抽出された該工事を担当する該作業員ごとの勤務実績データとを併せて見ることができるので、例えばある工事のある作業員の勤務実績中の勤務時間が多いにも関わらず出来高が少なければ、勤務時間が過大に入力されている可能性があるなどの異常を簡便に知ることができる。そのため、勤務実績データの作成にかかる管理者の負担が軽減される。
【０１２２】
さらに、図６Ａに示すように、各作業員Ｕ２の合計勤務時間を予定勤務時間で除した値を出力すれば、管理者Ｕ１が出来高と勤務実績との比較をする上で都合がよい。
【０１２３】
また、作業員Ｕ２ごとの勤務実績ＷＲｅｃ１には、対応する撮像画像の画像データが含まれている。これにより、工事の作業員Ｕ２の勤務状態を管理する管理者Ｕ１は勤務実績データに含まれる第２ユーザー装置５０の周辺の映像を見て工事の進捗状況を知ることができるので、工事現場に行かずとも工事の出来高を確認できるため、出来高データを入力する際の負担が軽減される。
【０１２４】
＜勤務実績データ提供処理＞
勤務実績データ提供処理は、サーバー３０が第１ユーザー装置１０から勤務実績データの提供を求める情報を受信することにより、勤務実績データ提供処理は開始される。なお、勤務実績データの提供を求める情報には、管理者Ｕ１を識別する情報である管理者ＩＤが含まれている。
【０１２５】
勤務実績データ提供処理を開始すると、勤務実績データ提供部３１１は、管理者ＩＤに基づいて、どのテーブルの勤務実績データが提供の対象となるかを認識し、提供の対象となる勤務実績データのテーブルを勤務実績データ記録部３３０から抽出して、第１ユーザー装置に当該抽出した勤務実績データを送信することにより勤務実績データを提供して処理を終了する。
【０１２６】
なお勤務実績データ提供部３１１は、例えば勤務実績データ記録部３３０に記録されている、管理者ＩＤと当該管理者Ｕ１が所属する組織との対応表及び、組織と勤務実績データのテーブルとの対応表を参照して、勤務実績データの提供を求める情報に含まれる管理者ＩＤに基づいて、どのテーブルの勤務実績データが提供の対象となるかを認識する。
【０１２７】
＜勤務実績データ集計処理＞
管理者Ｕ１の操作に応じて第１ユーザー装置が起動され、勤務実績データ集計処理を開始させる操作が行われることにより、勤務実績データ集計処理が開始される。勤務実績データ集計処理を開始すると勤務実績データ集計部１１７は、管理者Ｕ１による集計期間を示す情報の入力を受け付ける画面を表示する。勤務実績データ集計部１１７は、集計期間を示す情報として例えば「２０１９年１月」などの処理対象の月を指定する情報の入力を受け付ける。
【０１２８】
そして勤務実績データ集計部１１７は、工事データ記録部１３０に記録されている勤務実績データから、当該入力を受け付けた集計期間に関する勤務実績データを抽出する。
【０１２９】
その後に勤務実績データ集計部１１７は、当該抽出した勤務実績データを工事ごと、作業員Ｕ２ごとに集計し、第１ユーザー装置ディスプレイ１５０、プリンター１７０により出力して処理を終了する。
【０１３０】
これにより、管理者Ｕ１は勤務実績データ集計処理の出力結果を出勤簿として活用することができるので、管理業務の一環として出勤簿を作成する管理者Ｕ１の負担が軽減される。
【０１３１】
図６Ｂは、勤務実績データ集計処理の出力内容の一例であり、勤務実績データの集計期間ＳＰｅｒ、集計対象の工事名称ＣＮａｍ、及び作業員Ｕ２ごとの勤務実績ＷＲｅｃ２が日ごとに集計されて出力されている。さらに勤務実績データ集計部１１７は、集計期間中の全作業員Ｕ２の勤務時間の合計値を１日分の規定の勤務時間（例えば８時間。）で除した値を算出し、人工ＭＤａｙとして出力する。勤務実績データ集計部１１７の出力内容はこれに限定されず、例えば出勤簿として必要な情報をさらに追加して、あるいは不要な情報を取り除いて出力することとしてもよい。
【０１３２】
また、本実施形態においては、勤務実績データ集計部１１７は、工事ごとにページを分けて勤務実績データの集計をして出力しているが、これに限定されない。例えば、勤務実績データ集計部１１７は、作業員Ｕ２ごとにページを分けて勤務実績データの集計をして出力するように構成されていてもよい。この場合、勤務実績データ集計部１１７は、勤務実績データの集計期間ＳＰｅｒ、集計対象の作業員Ｕ２の作業員氏名、及び工事ごとの勤務実績を日ごとに集計して出力する。
【０１３３】
＜賃金算出処理＞
管理者Ｕ１の操作に応じて第１ユーザー装置が起動され、賃金算出処理を開始させる操作が行われることにより、賃金算出処理が開始される。賃金算出処理を開始すると賃金算出部１１９は、管理者Ｕ１による算出期間を示す情報の入力を受け付ける画面を表示する。賃金算出部１１９は、算出期間を示す情報として例えば「２０１８年１２月」などの処理対象の月を指定する情報の入力を受け付ける。
【０１３４】
そして賃金算出部１１９は、工事データ記録部１３０に記録されている勤務実績データから、当該入力を受け付けた算出期間に関する勤務実績データを抽出する。
【０１３５】
その後に賃金算出部１１９は、当該抽出した勤務実績データに基づいて作業員Ｕ２ごとの勤務日数、勤務時間などの賃金の支給額を算出する基礎となる値を取得し、当該取得した値に基づいて作業員Ｕ２ごとの賃金の支給額を算出し、第１ユーザー装置ディスプレイ１５０、プリンター１７０により当該算出結果を出力して処理を終了する。
【０１３６】
これにより、管理者Ｕ１は当該出力結果を賃金台帳として活用することができるので、管理業務の一環として賃金台帳を作成する管理者Ｕ１の負担が軽減される。
【０１３７】
賃金算出部１１９は、例えば工事データ記録部１３０にあらかじめ記録されている作業員Ｕ２ごとの基本給の額、人日単価あるいは時間単価の額と出勤日数及び勤務時間とに基づいて賃金の支給額を算出し、さらに工事データ記録部１３０にあらかじめ記録されている作業員Ｕ２ごとの控除額を差し引いた額を各作業員Ｕ２への賃金の最終的な支給額（差引支給額）として算出する。
【０１３８】
図６Ｃは、賃金算出部１１９による出力内容の一例であり、賃金の算出期間ＣＰｅｒ及び作業員Ｕ２ごとの賃金の支給額を含む情報Ｗａｇが算出されて出力されている。賃金算出部１１９の出力内容はこれに限定されず、例えば賃金台帳として必要な情報をさらに追加して、あるいは不要な情報を取り除いて出力することとしてもよい。
【０１３９】
以上説明したように、本発明の工事労務管理システムによれば、作業員等が勤務実績データを作成する際の負担を生じさせない工事労務管理システムを提供することができる。
【０１４０】
以上、本発明の実施形態について説明したが、本発明はこれに限定されない。本発明の趣旨を逸脱しない範囲で、種々の変更が可能である。
【０１４１】
例えば、出来高データ受付処理Ｓ１２０及び工事データ記録処理Ｓ１４０、あるいは勤務実績データ取得・表示処理Ｓ３００及び勤務実績データ提供処理Ｓ３２０は、工事期間後に実行されてもよい。
【０１４２】
あるいは例えば、勤務実績データ提供処理Ｓ３２０は、管理者Ｕ１の操作によらずにサーバー３０が所定の頻度で自動的に実行するように構成されていてもよい。この場合、勤務実績データ取得・表示処理Ｓ３００と勤務実績データ提供処理Ｓ３２０とは一連の処理としてではなく、それぞれ別個の処理として実行される。
【符号の説明】
【０１４３】
１０…第１ユーザー装置、１１１…工事予定データ受付部、１１３…出来高データ受付部、１１５…出力制御部、１１７…勤務実績データ集計部、１１９…賃金算出部、１３０…工事データ記録部、３０…サーバー、３１１…勤務実績データ提供部、３１３…日時情報提供部、３３０…勤務実績データ記録部、５０…第２ユーザー装置、５１１…勤務実績データ受付部、５１３…勤務実績データ送信部、５１５…表示制御部、５９０…撮像部。
【図１】
2020140261.tif 000003
【図２】
2020140261.tif 000004
【図３Ａ】
2020140261.tif 000005
【図３Ｂ】
2020140261.tif 000006
【図４Ａ】
2020140261.tif 000007
【図４Ｂ】
2020140261.tif 000008
【図５】
2020140261.tif 000009
【図６Ａ】
2020140261.tif 000010
【図６Ｂ】
2020140261.tif 000011
【図６Ｃ】
2020140261.tif 000012